【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
ａ）５〜９９．９質量％の、２０℃で＜２質量％の水中溶解度を有し、単官能性（メタ）アクリレートモノマー、スチレンおよびビニルエステルからなる群から選択される１つ以上のモノマー；
ｂ）０〜７０質量％のモノマーａ）と共重合できる１つ以上のモノマー；
ｃ）０〜２０質量％の、１つ以上の二重または多重ビニル性不飽和化合物；
ｄ）０〜２０質量％の、２０℃で＞２質量％の水中溶解度を有する１つ以上の極性モノマー；および
ｅ）０．１〜９５質量％の少なくとも１つの活性剤
（構成成分ａ）〜ｅ）を合計すると混合物の重合性構成成分は１００質量％となる）を含む混合物の重合によって得ることができるエマルジョンポリマーであって、
ｅ１）活性剤は式Ｉ
【化１】
2010532810.tif 000001
[式中、
−Ｒ1は、水素またはメチルであり；
−Ｘは、１〜１８個の炭素原子を有し、ヒドロキシル基および／またはＣ1−Ｃ4アルコキシ基により一置換もしくは多置換されていてもよい直鎖もしくは分岐アルカンジイル基であり；
−Ｒ2は、水素、または１〜１２個の炭素原子を有し、ヒドロキシル基もしくはＣ1−Ｃ4アルコキシ基によって一置換または多置換されていてもよい直鎖もしくは分岐アルキル基であり、ここでヒドロキシル基は（メタ）アクリル酸で部分エステル化されていることができる；
−Ｒ3、Ｒ4、Ｒ5、Ｒ6およびＲ7は、それぞれ互いに独立して、水素、または１〜８個の炭素原子を有し、ヒドロキシル基で一置換もしくは多置換されていることができる直鎖もしくは分岐アルキルまたはアルコキシ基であり；
ここで、基Ｒ3〜Ｒ7のうちの２つは互いに結合して、５〜７員環を形成していてもよく、フェニル基と共に縮合芳香族環系を形成することができる]の化合物であり；そして、
ｅ２）活性剤ｅ）がエマルジョンポリマーに共有結合を介して組み込まれている、エマルジョンポリマー。
【請求項２】
Ｒ1がメチルである、請求項１に記載のポリマー。
【請求項３】
Ｘが、エチレン基−ＣＨ2−ＣＨ2−または２−ヒドロキシプロピレン基−ＣＨ2−ＣＨ（ＯＨ）−ＣＨ2−である、請求項１または２に記載のポリマー。
【請求項４】
Ｒ2が、メチル、エチルおよび２−ヒドロキシエチルからなる群から選択される、請求項１から３までのいずれか１項に記載のポリマー。
【請求項５】
基Ｒ3〜Ｒ7のうちの１つが、メチルであり、残りの４つの基がそれぞれ水素であるか、または基Ｒ3〜Ｒ7のうちの２つがメチルであり、残りの３つの基がそれぞれ水素である、請求項１から４までのいずれか１項に記載のポリマー。
【請求項６】
ａ）が、１つ以上のメタクリレートモノマーおよび／またはアクリレートモノマーを含む、請求項１から５までのいずれか１項に記載のポリマー。
【請求項７】
ｅ）が、１０〜６０質量％、好ましくは２０〜５０質量％の量で存在する、請求項１から６までのいずれか１項に記載のポリマー。
【請求項８】
ａ）が、メチルメタクリレートである、請求項６に記載のポリマー。
【請求項９】
請求項１から８までのいずれか１項に記載の構成成分ａ）〜ｅ）を水性エマルジョン中で重合させる、エマルジョンポリマーの製造方法。
【請求項１０】
コア−シェル重合の手法で、構成成分ａ）〜ｅ）が第１段においてコアとして重合され、構成成分ａ）〜ｄ）の混合物が次に少なくとも１つのさらなる段階でシェルとして重合される、請求項９に記載の方法。
【請求項１１】
コアの構成成分ａ）〜ｅ）およびシェルの構成成分ａ）〜ｄ）が、結果として得られるポリマーにおいて、少なくとも１つのシェルのガラス転移温度ＴGSが、コアのガラス転移温度ＴGCよりも高くなるように選択され、その際、ガラス転移温度ＴGがＥＮ  ＩＳＯ１１３５７にしたがって測定される、請求項９に記載の方法。
【請求項１２】
シェルの構成成分ａ）〜ｄ）が、結果として得られるポリマーにおいて、少なくとも１つのシェルのガラス転移温度ＴGSが、１００℃よりも高くなるように選択され、その際、ガラス転移温度ＴGSがＥＮ  ＩＳＯ１１３５７にしたがって測定される、請求項１１に記載の方法。
【請求項１３】
請求項１から８までのいずれか１項に記載のポリマーまたは請求項９から１２までのいずれか１項に記載の方法により得たポリマーを含み、レドックス開始剤系によって硬化し、調節可能な可使時間を有する、二成分または多成分系。
【請求項１４】
Ａ）０．８〜６９．９４質量％の請求項１から８までのいずれか１項に記載のポリマー、または請求項９から１２までのいずれか１項に記載の方法により得たポリマー；
Ｂ）３０〜９９．１４質量％の１つ以上のエチレン性不飽和モノマー；
Ｃ）０．０５〜１０質量％のペルオキシド；場合により
Ｄ）０〜６０質量％の不飽和オリゴマー；
Ｅ）０．０１〜２質量％の重合抑制剤；および場合により
Ｆ）０〜８００質量部の助剤および添加剤；
（ここで、構成成分Ａ）＋Ｂ）＋Ｃ）＋Ｄ）＋Ｅ）の合計は１００質量％になり、Ｆ）の量は、Ａ）＋Ｂ）＋Ｃ）＋Ｄ）＋Ｅ）の合計１００質量部に基づく）を含む、請求項１３に記載の二成分または多成分系。
【請求項１５】
５〜４５質量％の成分Ａ）、
４０〜９４．８９質量％の成分Ｂ）、
０．１〜５質量％の成分Ｃ）、
０〜３０％質量％の成分Ｄ）、
０．０１〜０．２質量％の成分Ｅ）、および
０〜８００質量部の成分Ｆ）
（構成成分Ａ）＋Ｂ）＋Ｃ）＋Ｄ）＋Ｅ）の合計は１００質量％になり、Ｆ）の量は、Ａ）＋Ｂ）＋Ｃ）＋Ｄ）＋Ｅ）の合計１００質量部に基づく）を含む、請求項１４に記載の系。
【請求項１６】
５〜４５質量％の成分Ａ）、
５０〜９４．５０質量％の成分Ｂ）、
０．５〜５質量％の成分Ｃ）、
０質量％の成分Ｄ）、および
０〜８００質量部の成分Ｆ）
（構成成分Ａ）＋Ｂ）＋Ｃ）＋Ｄ）＋Ｅ）の合計は１００質量％になり、Ｆ）の量は、Ａ）＋Ｂ）＋Ｃ）＋Ｄ）＋Ｅ）の合計１００質量部に基づく）を含む、請求項１４に記載の系。
【請求項１７】
成分Ａ）および成分Ｃ）を一緒に貯蔵し、成分Ｂ）の少なくとも１つの構成成分を、系が使用されるまで成分Ａ）およびＣ）とは別に貯蔵し、別に貯蔵される成分Ｂ）の構成成分の、ポリマーＡ）についての膨潤能は、ポリマーＡ）にポリマー固定された活性剤が成分Ｃ）と反応できるほど高い、請求項１３から１６までのいずれか１項に記載の系。
【請求項１８】
成分Ａ）、成分Ｂ）の一部、および成分Ｃ）を一緒に貯蔵し、成分Ｂ）の割合は、成分Ｂ）の構成成分の、ポリマーＡ）についての膨潤能が、ポリマーＡ）にポリマー固定された活性剤が成分Ｃ）と反応できないほど低くなるように選択される、請求項１３から１６までのいずれか１項に記載の系。
【請求項１９】
成分Ａ）および成分Ｂ）の一部を一緒に貯蔵し、成分Ｂ）の割合は、成分Ｂ）の構成成分の、ポリマーＡ）についての膨潤能が、粘度において望ましくない増加が起こらないほど低くなるように選択される、請求項１３から１６までのいずれか１項に記載の系。
【請求項２０】
成分Ｂ）が、メチルトリグリコールメタクリレートもしくはエチルトリグリコールメタクリレート、ブチルジグリコールメタクリレート、テトラヒドロフルフリルメタクリレート、ベンジルメタクリレート、イソボルニルメタクリレート、１，４−ブタンジオールジメタクリレート、ヒドロキシプロピルメタクリレート、トリメチロールプロパントリメタクリレート、３〜１０モルのエチレンオキシドを含むエトキシル化トリメチロールプロパンのトリメタクリレート、２〜１０モルのエチレンオキシドを含むエトキシル化ビスフェノールＡのジメタクリレートおよび／または１〜１０個のエチレンオキシド単位を含むポリエチレングリコールジメタクリレートからなる群から選択される１つ以上の化合物である、請求項１４に記載の系。
【請求項２１】
成分Ｃ）が、過酸化ジベンゾイルおよび／またはジラウリルペルオキシドを含む、請求項１４に記載の系。
【請求項２２】
接着剤、注型用樹脂、フロアコーティングおよび他の反応性コーティング、シーリング組成物、含浸組成物、包埋組成物、人工大理石および他の人造石を製造するための組成物、反応性ペグ用組成物、歯科用組成物、セラミック物品用多孔性プラスチック型および同様の用途における、請求項１３から２１までのいずれか１項に記載の二成分または多成分系の使用。
【請求項２３】
不飽和ポリエステル樹脂およびビニルエステル樹脂における請求項１３から２１までのいずれか１項に記載の二成分もしくは多成分系の使用。